(57)【要約】【課題】  オプションの増設、除去等の変更を行う場合でも機器情報を記憶した不揮発性メモリの取り外し等の手間を要しない画像形成装置を提供する。【解決手段】  装置の構成に関する情報を記憶する不揮発性メモリ１２を備える装置において、電源オン時にハードディスク装置１４が装着されたか否か等を示す機器情報を取得し（ＳＴ１）、この機器情報に基づいてハードディスク装置１４が増設されたか否かを判定し（ＳＴ２）、増設されている場合は不揮発性メモリ１２に記憶されている装置構成データをハードディスク装置１４に転送する（ＳＴ３）。次に、ハードディスク装置１４の装置等の新たな機器情報に不揮発性メモリ１２及びハードディスク装置１４の機器情報を更新する（ＳＴ５）。次回からの起動以降は、ハードディスク装置１４に記憶されたデータを参照する。【選択図】      図２
2006173816.tif 000002
【特許請求の範囲】
【請求項１】
ハードディスク装置を装着可能な画像形成装置において、
装置の構成に関する情報を記憶する不揮発性メモリと、立ち上がり時に機器情報を取得する取得手段と、取得された情報に基づきハードディスク装置が増設されたか否かを判断する判断手段と、判断手段の判断に基づき、不揮発性メモリ内の機器情報をハードディスク装置にコピーし、機器情報にハードディスク装置が付設された情報を書き込む制御手段とを備えたことを特徴とする画像形成装置。
【請求項２】
前記ハードディスク装置が付設されたことが機器情報に書き込まれた後は、立ち上がり時に前記ハードディスク装置内の機器情報を読み出すことを特徴とする請求項１記載の画像形成装置。
【請求項３】
他のオプション装置の装着、取り外しがあった場合には、前記ハードディスク装置内の機器情報を変更することを特徴とする請求項２記載の画像形成装置。
【発明の詳細な説明】
【技術分野】
【０００１】
この発明は、複写機、ファクシミリ装置、複写機能・ファクシミリ機能等の多機能を有する複合機等の画像形成装置に関する。
【背景技術】
【０００２】
従来から画像形成装置にハードディスク装置を搭載することはよく知られている。このハードディスク装置は、画像形成装置では専ら画像データの蓄積に使われており、多頁のソートコピー等を可能にしている（例えば、特許文献１参照）。
【０００３】
一方、画像形成装置の構成も複雑化しており、各種オプションの装置が可能となっている。このため、画像形成装置の構成（Ｃｏｎｆｉｇｕｒａｔｉｏｎ）に係るデータも大きくなっている。そこで、これらの構成を不揮発性メモリ、例えば商品「コンパクトフラッシュ（登録商標）」、商品「Ｓｍａｒｔ  Ｍｅｄｉａ（登録商標）」に画像形成装置の構成に応じたデータを書き込んだものを基板に装着し、電源投入時にこれらのデータを参照するようにしている。
【特許文献１】特開平１０−３０４１１１号公報
【発明の開示】
【発明が解決しようとする課題】
【０００４】
上記した画像形成装置の構成に応じたデータを不揮発性メモリに書き込んだものを基板に装着し、電源投入時にそれらデータを参照するようにしたものにおいては、更にオプションを増設したり、既に付設されているオプションを取り除くと、上記構成に応じたデータも変更になり、不揮発性メモリを取り外し、内容を書き換える必要があり、その手間を要するという問題がある。
【０００５】
この発明は上記問題点に着目してなされたものであって、オプションの増設、除去等の変更を行う場合でも、機器情報を記憶した不揮発性メモリの取り外し等の手間を要しない画像形成装置を提供することを目的としている。
【課題を解決するための手段】
【０００６】
この発明の画像形成装置は、ハードディスク装置を装着可能な画像形成装置において、装置の構成に関する情報を記憶する不揮発性メモリと、立ち上がり時に機器情報を取得する取得手段と、取得された情報に基づきハードディスク装置が増設されたか否かを判断する判断手段と、判断手段の判断に基づき、不揮発性メモリ内の機器情報をハードディスク装置にコピーし、機器情報にハードディスク装置が付設された情報を書き込む制御手段とを備えたことを特徴とする。
【０００７】
ここで装置の構成に関する情報とは、当該機台の構成として、例えばいかなるスキャナ、プリンタ、操作部、表示部、画像メモリ等で構成されるか、更にオプションとして、例えばハードディスク装置、ＮＩＣ、その他を有するかの情報である。また、機器情報とは、その機台固有の上記構成及びその構成に関連したユーザが設定する、例えばプリント濃度、優先使用用紙のカセットの設定等の機器設定情報をいう。
【０００８】
この発明の画像形成装置において、更に、前記ハードディスク装置が付設されたことが機器情報に書き込まれた後は、立ち上がり時に前記ハードディスク装置内の機器情報を読み出すことができる。
【０００９】
また、この発明の画像形成装置において、更に、他のオプション装置の装着、取り外しがあった場合には、前記ハードディスク装置内の機器情報を変更することができる。
【発明の効果】
【００１０】
この発明によれば、ハードディスク装着が装着されると機器情報を不揮発性メモリからハードディスク装置にコピーする。その後は、ハードディスク装置内の機器情報を読み出す。他のオプション装置が取り付けられた（又は取り外された）場合には、ハードディスク装置上の機器情報を書き換える。その他、履歴情報（オプション装置、取り外しの履歴、通信の履歴、メンテナンスの履歴等）もハードディスク装置に残すことができる。そのため、オプション変更時では、不揮発性メモリを取り外す等の手間を必要としない。ハードディスク装置には、機器情報、履歴情報の他、もちろん従来と同様、画像データの蓄積にも適用できる。
【発明を実施するための最良の形態】
【００１１】
以下、実施の形態により、この発明をさらに詳細に説明する。図１はこの発明の一実施形態であるファクシミリ装置の構成を示すブロック図である。この実施形態ファクシミリ装置は、複写機能、スキャナ機能、プリント機能、ファクシミリ機能を有する複合機として構成している。
【００１２】
このファクシミリ装置は、ＣＰＵ１と、ＮＣＵ２と、ＭＯＤＥＭ３と、ＲＯＭ４と、ＲＡＭ５と、画像メモリ６と、表示部７と、操作部８と、スキャナ９と、ＣＯＤＥＣ１０と、プリンタ１１と、不揮発性メモリ１２と、ハードディスクＩ／Ｆ１３と、ハードディスク装置１４と、ＮＩＣ（Ｎｅｔｗｏｒｋ  Ｉｎｔｅｒｆａｃｅ  Ｃａｒｄ）１５と、バス１６とを備えている。
【００１３】
ＣＰＵ１は、ＲＯＭ４に格納するプログラムに従い、この装置を構成する各部を制御する機能を有する。ＮＣＵ２は、電話回線網（ＰＳＴＮ）１７との接続を制御するとともに、相手先の電話番号（ＦＡＸ番号を含む）に対応した選択（ダイヤル）信号を送出する機能、及び呼出信号を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。あるいは、これらに加えてＶ．３４に従った送信データの変調及び受信データの復調を行う。
【００１４】
ＲＯＭ４は、この装置を制御するためのプログラムを記憶する。ＲＡＭ５はＭＰＵ１が処理するデータ等を一時的に記憶する。画像メモリ６は、受信した画像データやスキャナで読み取った画像データを記憶する。表示部７は、装置からオペレータへの伝達情報等を表示する。操作部８は、テンキー、ＦＡＸキー、ＣＯＰＹキー、スタートキー、ワンタッチキー等の操作キースイッチを有する。スキャナ９は、ＦＡＸ送信するとき、又はコピーするときに、原稿の画像データを読み取る。ＣＯＤＥＣ１０は、読み取った画像データを送信するために、ＭＨ、ＭＲ、ＭＭＲ方式等により符号化（エンコード）し、受信した画像データを復号（デコード）する。
【００１５】
プリンタ１１は、複写時にスキャナ９で読み取られた画像データ、ファックス受信した画像データ、外部機器であるＰＣ等から伝送されて来たプリントデータをプリントする。不揮発性メモリ１２は、メモリ領域１２ａを有し、ここに装置の構成に関する機器情報を記憶している。この装置の構成に関する情報とは、スキャナ、プリンタ、操作部、表示部、画像メモリとして、どの種のタイプのものを使用しているか、またハードディスク装置１４、ＮＩＣ１５等をオプションとして備えているか等を示す情報である。更に、例えばプリンタに関し、濃度、優先使用カセット等の設定情報も機器情報としてここに格納される。また、不揮発性メモリ１２には、履歴情報や電話帳、更には画像データも記憶される。ハードディスクＩ／Ｆ１３は、ハードディスク装置１４を脱着可能に装着できる。ハードディスク装置１４が装着されている状態で、ここよりデータを書き込み、あるいは読み出す。ＮＩＣ１５はＬＡＮ上のＰＣ等と接続するためのインターフェースカードである。
【００１６】
この実施形態ファクシミリ装置の特徴は、基板上に設けられたデータ格納用の大容量の不揮発性メモリ１２を有するものであって、更に後付けで大容量のデータ格納手段であるハードディスク装置１４を設けることとしたことである。そして、既に基板上の不揮発性メモリ１２に格納されたデータを自動的にハードディスク装置１４に転送する機能を備えている。
【００１７】
不揮発性メモリ１２には、システムの状態を示す情報（機器情報）を記憶するメモリ領域１２ａを備えている。装置が起動（電源オン）する度に、自らの機器情報を検出して、メモリ領域１２ａを参照して過去のデータと比較して、ファイルを更新し、メモリ領域１２ａに再度格納している。更に、このファクシミリ装置では、ＣＰＵ１の制御により、ハードディスク装置１４が後付けで装着されたことを検知した場合、不揮発性メモリ１２のメモリ領域１２ａのデータをハードディスク装置１４に自動的に転送する機能、この自動転送時にメモリ領域１２ａにハードディスク装置１４が装着されている旨の情報を書き加えて上書き記憶する機能を備えている。ハードディスク装置１４にもメモリ領域１４ａを備え、不揮発性メモリ１２より自動転送されて来た機器情報は、このメモリ領域１４ａに記憶される。
【００１８】
図３に不揮発性メモリ１２のメモリ領域１２ａ等に格納される機器データの具体例を示している。図３の（ａ）はハードディスク装置１４を装着する前のデータ例、図３の（ｂ）はハードディスク装置１４装着時の転送データを示すデータ例、図３の（ｃ）はハードディスク装置１４に転送されたデータ例を示す。
【００１９】
ハードディスク装置１４の装着される前では、図３の（ａ）に示すデータがメモリ領域１２ａに格納されている。図３の（ａ）に示すデータは、ハードディスク装置１４の装着前なので、ＨＤＤは「装着なし」を記憶している。また、ここに示す例では、他の機器情報として、２ｎｄカセット装着有り、３ｒｄカセット装着なし、両面ユニット装着有り、を記憶している。
【００２０】
ハードディスク装置１４が装着されたことが検出されると、図３の（ｂ）に示すように、ＣＰＵ１はメモリ領域１２ａのＨＤＤ記憶部分に「データ転送済み」を上書き記憶するとともに、ハードディスク装置１４に転送する。そして、ハードディスク装置１４のメモリ領域１４ａに図３の（ｃ）に示すデータが記憶される。
【００２１】
ハードディスク装置１４の装着後の次の起動以降は、ハードディスク装置１４に自動転送されたデータを基に、機器情報の更新チェックを行うこととしている。
【００２２】
次に、この実施形態ファクシミリ装置において、起動時（電源オン時）の処理動作を、図２に示すフロー図を参照して説明する。電源がオンされると、ステップＳＴ１において、機器情報を取得する。この機器情報の取得は、ここではＲＡＭ５に記憶されている、ハードディスク装置１４がハードディスクＩ／Ｆ１３に接続されているか否かを示すビット信号を読み出して来ることにより実現している。次に、ステップＳＴ２へ移行する。ステップＳＴ２においては、ハードディスク装置１４が増設されたか否か、つまりハードディスクＩ／Ｆ１３にハードディスク装置１４が装着されているか否かを判定する。この判定は、取得した機器情報のビット信号に基づいて行う。ビット信号がハードディスク装置１４の装着を示しておれば、ハードディスク装置１４が増設されていることを示しており、この場合は、ステップＳＴ３へ移行する。一方、ビット信号がハードディスク装置１４の装着を示していなければ、ハードディスク装置１４が増設されていないことを示しており、この場合は、ステップＳＴ４へ移行する。
【００２３】
ステップＳＴ３においては、不揮発性メモリ１２のメモリ領域１２ａに記憶されている機器情報をハードディスク装置１４にデータ転送する。そして、ステップＳＴ５へ移行する。ステップＳＴ４においては、ハードディスク装置１４の増設以外に他の変更があるか否か判定する。例えば、ＮＩＣ１５の装着、回線オプションの増設等の他の変更があれば、ステップＳＴ５へ移行する。他に変更がなければ、リターンする。
【００２４】
ステップＳＴ５においては、ステップＳＴ３において、メモリ領域１２ａの機器情報がハードディスク装置１４に転送を受けた場合であると、その転送を受けた機器情報と、取得した機器情報を比較し、新たな機器情報を更新記憶する。また、ステップＳＴ４において、ハードディスク装置１４の増設以外の変更があった場合であると、このステップＳＴ５において、その変更部分の更新を行う。
【図面の簡単な説明】
【００２５】
【図１】この発明の一実施形態ファクシミリ装置の構成を示すブロック図である。
【図２】同実施形態ファクシミリ装置の電源オン時の処理動作を説明するためのフロー図である。
【図３】同実施形態ファクシミリ装置の不揮発性メモリ等のメモリ領域に格納されるデータの具体例を示す図である。
【符号の説明】
【００２６】
１        ＣＰＵ
２        ＮＣＵ
３        ＭＯＤＥＭ
４        ＲＯＭ
５        ＲＡＭ
６        画像メモリ
７        表示部
８        操作部
９        スキャナ
１０      ＣＯＤＥＣ
１１      プリンタ
１２      不揮発性メモリ
１２ａ    メモリ領域
１３      ハードディスク・インターフェース
１４      ハードディスク装置
１４ａ    メモリ領域
１５      ＮＩＣ
１６      バス
【図１】
2006173816.tif 000003
【図２】
2006173816.tif 000004
【図３】
2006173816.tif 000005